(57)【要約】      （修正有）【課題】青果物の収納運搬に適した天面開閉自在な包装用箱を提供する。【解決手段】天面閉鎖用フラップと底面閉鎖用フラップを有する一対の長側板と一対の短側板からなる矩形箱側壁部の底面側は底面閉鎖用フラップで封緘し、天面側は、両長側板に連設された内フラップ５，７で全面を覆い、その内フラップ上面に短側板２に連設された外フラップを折り重ね、一方の内フラップ５内における長側板との間の折線に沿った２箇所に対向配置されている差込スリット９，９’に両外フラップ先端部の差込片１０，１０’を抜き差し自在に嵌合すると共に、該差込片に隣接配置されている抑え付け片１２，１２’により内フラップ５，７の上面を抑え付けた状態で閉鎖する。【選択図】図５
0003165279.tif 000002
【実用新案登録請求の範囲】
【請求項１】
矩形箱側壁部を形成する４側板が、長側板１、短側板２、長側板３、短側板４の順に折線を介して連設されていて、各側板には折線を介して天面を開閉自在に閉鎖する天面閉鎖用フラップ及び底面閉鎖用フラップが連設されている一枚の紙製ブランクシートより形成される包装用箱であって、
前記両長側板１，３の天面閉鎖用フラップは、互いの先端部分が接した状態で天面全体を覆う内フラップ５，７を形成していて、一方の内フラップ５内には前記長側板１との間の折線に沿った対称位置をコ字状に切断して形成されている２つの差込スリット（９，９’）が対向配置されており、
前記短側板２，４の天面閉鎖用フラップは、前記内フラップ５に対向配置されている２つの差込スリットの双方に差込嵌合させるコ字形状の突出先端部よりなる差込片（１０，１０’）と内フラップ５，７の上面を抑え付ける湾曲状突出先端部よりなる抑え付け片（１２，１２’）と前記両短側板との間の折線に平行なヒンジ用折線（１１，１１’）とを有する外フラップ６，８を形成していることを特徴とする包装用箱。
【請求項２】
前記差込片（１２，１２’）を形成している湾曲状突出先端部の先端縁中央部に略半円形状の切欠部よりなる指掛部（１３，１３’）が形成されていることを特徴とする請求項１に記載の包装用箱。
【請求項３】
前記内フラップ５，７の両先端部が接する状態が、一方の先端部が他方の先端部と上下に重なり合って接する状態であることを特徴とする請求項１又は２に記載の包装用箱。
【考案の詳細な説明】
【技術分野】
【０００１】
本考案は、主として野菜や果物等の青果物を収納し運搬するのに特に好適な包装箱であって、天面を開閉自在に閉鎖する際に内容物を傷つけるおそれの少ない包装箱に関する。
【背景技術】
【０００２】
従来、青果物を箱詰めして出荷する包装箱には、工場生産され組み立てた状態で納品されたＪＩＳ−Ｚ１５０７の０２０１形式（旧Ａ−１形）の段ボール箱が多用されている。この０２０１形式の箱は、長方形状の４側板を一方向に連接し、その４側板の上下に箱の底面及び天面を封鎖するため、それぞれ内フラップ及び外フラップを連接してなるほぼ直方体形状の箱である。
【０００３】
しかし、箱の封緘作業には、接着テープや、封緘金具とその打込みマシン（ステープラー）を用意する必要があるため、封緘用副資材のコストが必要である。青果物のような比較的重量のある内容物を大量に扱う場合は、接着テープよりもステープラーにより金具を打ち込んで封緘することが一般的であるが、封緘金具によって箱内の収納物を傷つけてしまうおそれがあるし、使用後の金具は不燃物であるため段ボールと一緒に焼却できないので分別する必要がある。
【０００４】
また、青果物を収納した段ボール箱には、開封時と使用後の解体時における作業の安全性及び簡便性が要求されるし、封緘用副資材からなるゴミの発生も量販店等では敬遠される。更に、使用済の箱を古紙として再利用する際の分別作業時に封緘用の金具で怪我をすることもあり、取扱いに注意を払う必要がある。
さらに、副資材を使用して封緘した場合、一旦封緘した箱を開封して中身を確認したのち再封緘しなければならないような用途についての使用は、作業性が劣るばかりでなく、副資材の粘着テープや封緘金具によって箱が傷つくために、事実上困難であった。
【０００５】
上記のような問題を回避するため、天面の封緘に封緘金具や接着テープ等の副資材を必要としない包装箱として、各種態様の包装箱が提案されている（特許文献１〜３）。このような包装箱は、天面の開封も再閉鎖も容易であり、特に青果物等のように、卸売市場でのせりの際に、業者が頻繁に内容物の状態を確認する必要がある場合に好適に用いられている。
このような天面閉鎖構造については大別して２種類ある。即ち、特許文献１に示されるような、筒状４側壁の一方の対向側壁上辺に先端相互が当接する内フラップを連接し、他方の対向側壁上辺に外フラップを連接し、外フラップに形成された差込片を内フラップに形成された差込溝に嵌装させることにより天面を閉鎖してなる差込み係止構造と、特許文献２に記載されているような、天面の内フラップを引き上げることで、内フラップと外フラップ相互に設けられた係止構造が係止することで天面を閉鎖する、引上げ係止構造である。
【０００６】
差込み係止構造は、引き上げ係止構造と比較すると少ない力で閉鎖、開封、再閉鎖が可能という利点があるが、差込み片が箱内部に嵌装される時にフラップの端縁で内容物を傷つけるという欠点があった。
また、引上げ係止構造は、箱内部にフラップが押し下げられることがないため、閉鎖時に内容物を傷つけるおそれがなく、また、フラップの引き上げという一つの動作で天面が係止可能なため作業工程的には差込み係止構造より優れているが、引き上げによる係止には、差込みによる係止よりも大きい力が必要であるという欠点があった。
上記の通り、これらの係止構造については一長一短があるため、これらは適宜状況に応じて使い分けられている。また、それぞれの欠点を軽減する目的で、様々に改良を加えた構造が提案されている。例えば、差込み係止構造による内容物の傷つきを防止又は軽減する為には、特許文献３等が提案されている。
【先行技術文献】
【特許文献】
【０００７】
【特許文献１】特開平８−１４３０２５号公報
【特許文献２】特開２００４−０５９０４５号公報
【特許文献３】特開２００５−３４３５４２号公報
【考案の概要】
【考案が解決しようとする課題】
【０００８】
本考案は、前述した差込係止構造による天面閉鎖時における内容物の傷つきをさらに確実に防止又は軽減し得る構造であって、主として野菜や果物等の青果物を収納し運搬するのに特に好適な包装箱を提供することを目的とする。
【課題を解決するための手段】
【０００９】
上記課題を解決するため、本考案は以下の構成とする。
（１）矩形箱側壁部を形成する４側板が、長側板１、短側板２、長側板３、短側板４の順に折線を介して連設されていて、各側板には折線を介して天面を開閉自在に閉鎖する天面閉鎖用フラップ及び底面閉鎖用フラップが連設されている一枚の紙製ブランクシートより形成される包装用箱であって、
前記両長側板１，３の天面閉鎖用フラップは、互いの先端部分が接した状態で天面全体を覆う内フラップ５，７を形成していて、一方の内フラップ５内には前記長側板１との間の折線に沿った対称位置をコ字状に切断して形成されている２つの差込スリット（９，９’）が対向配置されており、
前記短側板２，４の天面閉鎖用フラップは、前記内フラップ５に対向配置されている２つの差込スリットの双方に差込嵌合させるコ字形状の突出先端部よりなる差込片（１０，１０’）と内フラップ５，７の上面を抑え付ける湾曲状突出先端部よりなる抑え付け片（１２，１２’）と前記両短側板との間の折線に平行なヒンジ用折線（１１，１１’）とを有する外フラップ６，８を形成していることを特徴とする包装用箱。
【００１０】
（２）前記差込片（１２，１２’）を形成している湾曲状突出先端部の先端縁中央部に略半円形状の切欠部よりなる指掛部（１３，１３’）が形成されていることを特徴とする（１）項に記載の包装用箱。
【００１１】
（３）前記内フラップ５，７の両先端部が接する状態が、一方の先端部が他方の先端部と突合せ接触する状態であるか又は一方の先端部が他方の先端部と上下に重なり合って接触する状態であることを特徴とする（１）項又は（２）項に記載の包装用箱。
【００１２】
（４）前記矩形箱側壁部において隣接する長側板１と短側板４の両側縁部は、いずれか一方の側縁部に形成されている糊代（１８）によって接合されていることを特徴とする（１）項〜（３）項のいずれか１項に記載の包装用箱。
【考案の効果】
【００１３】
本考案により、前述したような従来型の差込嵌合構造による天面閉鎖時における内容物の傷つきをさらに防止又は軽減して、主として野菜や果物等の青果物を収納し運搬するのに特に好適な包装箱を提供することが可能となった。
【図面の簡単な説明】
【００１４】
【図１】本考案の包装用箱を展開したブランクシートを示す図である。
【図２】図１のブランクシートから本考案の包装用箱を組み立てる途中の状態を示す図でる。
【図３】図２の状態から進んで内フラップで天面を閉鎖した組み立て途中状態を示す図である。
【図４】図３からさらに進んで内フラップ上に外フラップを折り重ねて天面を閉鎖する途中状態を示す図である。
【図５】図４を経て天面閉鎖を完成させた本考案の包装用箱を示す図である。
【考案を実施するための形態】
【００１５】
図面を参照して本考案をさらに具体的に説明する。
本考案の包装用箱は、廃棄処理並びにリサイクル処理の容易な段ボールや板紙等の紙製シートを素材として作成される。特に、強度及び緩衝性と断熱性に優れた段ボールシートが好適に用いられる。
【００１６】
まず図１の展開図に基づいて説明する。
本考案の矩形箱よりなる包装用箱は、長側板１、短側板２、長側板３、短側板４がこの順に折線を介して連接されて側壁部を形成しており、長側板（１、３）の上部には折線を介して天面閉鎖用フラップとして内フラップ（５，７）が連接され、下部には折線を介して底面閉鎖用フラップ（１４，１６）が連設されており、１対の短側板（２，４）の上部には折線を介して天面閉鎖用フラップとして外フラップ（６，８）が連接され、下部には折線を介して底面閉鎖用フラップ（１５，１７）が連設されている。
【００１７】
前記両内フラップの一方の内フラップ５には、略コ字状の切断線と該コ字状切断線の両端間を結ぶ折線（１９，１９’）とによって区画された１対の差込スリット（９，９’）が長側板１との間の折線に沿った内フラップ内の対称位置に対向して形成されており、前記１対の外フラップ（６，８）には、前記コ字状に切断して形成されている２つの差込スリット（９，９’）にそれぞれ差込嵌合可能なコ字形状の突出先端部よりなる差込片（１０，１０’）と、先端縁が外方に湾曲した突出部として形成されていて内フラップ（５，７）の上面を抑え付ける湾曲状突出先端部よりなる抑え付け片（１２，１２’）とが形成されており、さらに、両短側板との間の折線に平行で、箱外方から見て山折りに折り曲げ可能な押罫を設けることによってヒンジ用折線（１１，１１’）が形成されている。
【００１８】
また、上記長側板（１，３）及び短側板（２，４）のそれぞれの下部には、折線を介して底面閉鎖用フラップ（１４〜１７）が連接されている。尚、図１に示されている底面閉鎖用フラップの形状は、一般的な０２０１形式の底フラップであって、ステープラーもしくは粘着テープで封緘するものである。本考案においては、底面閉鎖用フラップの形状は状況に応じて任意に選択可能であるが、一般的なセミオートマチックロックボトム形式やオートマチックロックボトム形式等、封緘用副資材を必要としない底面封緘構造を採用すれば、本件包装用箱が封緘に副資材を必要としないノンステープルタイプの包装箱となるため特に好適である。
【００１９】
図１に展開図として示されている１枚のブランクシートから本考案の包装箱を組み立てる際は、まず、４枚の連接されている側板（長側板１、短側板２、長側板３、短側板４）を順次折り曲げて長側板１の側縁に連接された糊代１８により長側板１と短側板４の両側縁部と接合して矩形箱側壁を形成する。このように側壁部が形成された矩形の筒体は、包装用箱として組み立て使用する迄は、扁平に折り畳んだ状態で保管することができる。そして、包装用箱の組み立てに際しては、折り畳まれている側板を矩形筒体になるように引き起こし、最初に短側板（２，３）に連接する底面閉鎖用フラップ（１５，１７）を底面側に折り込み、その上に長側板（１、３）に連接する底面閉鎖用フラップ（１４，１６）を折り重ね、両フラップの先端突合せ部をステープラーもしくは粘着テープで接合して底面閉鎖部をロックし、天面解放状態の矩形箱を形成する（図２）。
【００２０】
底面部をロックした包装箱に内容物を収納した状態で天面を閉鎖する際は、最初に長側板（１，３）の内フラップ（５，７）を内側に折り込んで両フラップ先端同士が天面中央部で突合せ状態又は上下に重なり状態となるようにして天面全体を覆い（図３）、その上に、短側板（２，４）の外フラップ（６，８）を折り重ね、両外フラップに設けられたヒンジ用折線を山折り状態に折り曲げながら、コ字状差込片（１０，１０’）の先端部をわずかに後退させて内フラップ（５）に設けられた対応する差込みスリット（９又は９’）の差込口に位置合わせをし(図４）、次いで外方に突出した状態に折れ曲がっているヒンジ用折線部を押し込んで平坦状態とすることにより差込片（１０，１０’）を前進させ、差込口に差し込んで天面の閉鎖状態を固定する(図５）。
【００２１】
上記のように天面を閉鎖した本考案の包装用箱を開封する際は、前記外フラップ（６，８）における湾曲状突出先端部よりなる抑え付け片（１２，１２’）の先端縁に形成されている指掛部（１３，１３’）に指を掛けてヒンジ用折線が山折り状態に折れ曲がる方向に力を加えて差込片全体を差込スリットから抜き出して外フラップと内フラップの閉鎖固定状態を解除すると同時に、両外フラップによる内フラップ（５，７）の上面に対する抑え付け状態をも解放することによって、内フラップ（５，７）を容易に開封できる状態とすることができる。また、再度の天面の閉鎖も前記天面閉鎖手順を繰り返すことにより容易に行うことができる。
【符号の説明】
【００２２】
１，３：長側板
２，４：短側板
５，７：内フラップ
６，８：外フラップ
９，９’：差込スリット
１０，１０’：差込片
１１，１１’：ヒンジ用折線
１２，１２’：抑え付け片
１３，１３’：指掛部
１４〜１７：底面閉鎖用フラップ
１８：糊代
１９，１９’：折線
【図１】
0003165279.tif 000003
【図２】
0003165279.tif 000004
【図３】
0003165279.tif 000005
【図４】
0003165279.tif 000006
【図５】
0003165279.tif 000007